【手続補正書】
【提出日】平成25年11月11日(2013.11.11)
【手続補正１】
【補正対象書類名】特許請求の範囲
【補正対象項目名】全文
【補正方法】変更
【補正の内容】
【特許請求の範囲】
【請求項１】
正方形又は矩形の断面を有する複数のスティックを乾燥させる方法であって、
前記スティックの下側の面を乾燥させる、下側のフレームの上に、前記スティックを横方向に積み上げるステップと、
前記スティックが前記下側のフレームの上に横方向に受け入れられた際に、間隔をあけた貫入部材を担持する上側のフレームを使用して、前記スティックを前記下側のフレームに対して押し付けるステップであって、前記間隔をあけた貫入部材を有する上側のフレームを前記スティックの上側表面に貫入させ、前記スティックの最上側表面を乾燥させる、ステップと、
前記スティックをこの押し付けによって拘束している間、自然乾燥させるか又は強制乾燥を行うステップと、
を備える方法。
【請求項２】
湾曲する傾向を低減するように拘束している間に前記スティックを少なくとも十分に乾燥させた後に、前記上側のフレームを上昇させて前記押し付けを解放し、前記スティックを前記下側のフレームから横方向に動かす、請求項１に記載の方法。
【請求項３】
前記スティックが、複数個、前記下側のフレームの上に隣接して置かれる、請求項１又は２に記載の方法。
【請求項４】
前記フレームを、骨格だけのフレームの積層にしたときに、各フレームの隣接するペアが、下側のフレームと上側とのフレームのペアとして働き、いくつかのフレームが、異なる部分の上側のフレームと下側のフレームとの両方として機能する、請求項１に記載の方法。
【請求項５】
前記上側のフレームの間隔をあけた貫入部材を利用して前記スティックを前記下側のフレームの上に押し付けるステップが、前記スティックの長さに沿った複数の位置において、各スティックに対して各位置で少なくとも２つの貫入部材を、確実にスティックの上側表面へ貫入させる、請求項１に記載の方法。
【請求項６】
前記スティックの長さに沿った複数の位置において、各スティックに対して各位置で少なくとも３つの貫入部材が存在している、請求項５に記載の方法。
【請求項７】
各スティックが、同一の厚さを有し、上側表面から下側表面までの厚さの範囲が、５から２５ｍｍの範囲である、請求項１に記載の方法。
【請求項８】
前記厚さの範囲が、５から１７ｍｍである、請求項７に記載の方法。
【請求項９】
前記厚さが、１１ｍｍである、請求項８に記載の方法。
【請求項１０】
それぞれの下側のフレームが、骨格のみを有する、請求項１に記載の方法。
【請求項１１】
それぞれの下側のフレームが、間隔をあけた平行な関係で固定された、レール又はバーである、請求項１０に記載の方法。
【請求項１２】
前記貫入部材が、前記レール又はバーの裏面上に位置するか、又は裏面の部材である、請求項１１に記載の方法。
【請求項１３】
前記貫入部材が、ピンである、請求項１に記載の方法。
【請求項１４】
前記ピンが、前記フレームのレール又はバーから延びている、請求項１３に記載の方法。
【請求項１５】
上側のフレームと下側のフレームの各ぺアが、レールの上にレールが、又はバーの上にバーが組み合わさったものである、請求項１に記載の方法。
【請求項１６】
前記レール又はバーが、前記スティックの軸に対して横方向に延びている、請求項１５に記載の方法。
【請求項１７】
各フレームのレール又はバーの間隔が、前記スティックの中央よりも前記スティックの端部近傍において互いに近接している、請求項１６に記載の方法。
【請求項１８】
前記貫入部材が、前記レール又はバーの裏面上にあるか又は裏面から突き出している、請求項１６又は１７に記載の方法。
【請求項１９】
１つ又は複数のスティックを乾燥させる方法であって、強制又は自然乾燥状態において、各スティックの長手方向軸の横方向において、前記方法が、
（Ｃ）複数のバー、平縁、又はこれらに類似した支持部材から突き出して、スティックの幅広の露出した面のうちの一方の面に貫入するか、又は、複数のバー、平縁、又はこれらに類似した支持部材から突き出して、スティックの幅広の露出した面のうちの一方の面に局所的に高い荷重をかける、複数の隆起部と、
（Ｄ）スティックの幅広の露出した面のうちの他方の面に反作用を与える構成と、
の間で、各スティックを拘束するステップを備える、方法。
【請求項２０】
スティックを乾燥させる方法であって、
複数のスティックを平行に配置して一つの層とするステップと、
各スティックを一列の押圧部材で押圧するステップであって、前記スティックの少なくとも１つの面上を、又は面の中に、押圧するステップであって、前記一列の押圧部材は、それぞれ複数の隆起部を有し、これにより、前記スティックを湾曲しないように拘束する、ステップと、
スティックが拘束されている間に前記スティックを乾燥させるステップと、
を備える、方法。
【請求項２１】
スティックの乾燥の際に、フレームがスティックを拘束している間操作可能であるか又は操作可能となる装置であって、前記装置は、骨格のみを有するフレームの層の積層体の形態を有し、フレームのそれぞれの隣接するペアが、前記ペアの間に、互いに少なくとも平行なスティックの層を受け入れ、前記スティックの層が、前記ペアの下側のフレームの上に、長手方向の軸に対して横方向に動かされ、次に、前記ペアの上側のフレームによって前記下側のフレームの上に押し付けられ、前記上側のフレームが、それぞれ、各スティックの上面に貫入して前記スティックを拘束する隆起部を有するものである、装置。
【請求項２２】
乾燥のためにスティックを保持する装置であって、前記装置が、上側と下側の格子又はフレームを有し、上側と下側の格子又はフレームを、各スティックの互いに反対側の面を支えるように移動させることができ、前記格子又はフレームのペアの少なくとも一方が、他方の格子又はフレームの反作用に抗して前記スティック内に圧力を加えることができる隆起部の組を有し、各スティックに対する隆起部の組のそれぞれが、少なくとも２つの隆起部を前記スティックの面を横断する方向に前記スティック内に押圧されるように、前記スティックの長さに沿って間隔をおいて配置されている、装置。
【請求項２３】
拘束されている間にスティックを乾燥させる方法であって、前記方法が、一方のフレームの前記スティックに貫入する隆起部を利用することにより、前記スティックを、他方のフレームに押し付け、フレームとフレームとの間に前記スティックをはさむステップを有する、方法。
【請求項２４】
正方形又は矩形の断面と、２．４メートルよりも長い長さＬと、を有する、集成した細長い構造用木材製品であって、
前記構造用木材製品が、同一の矩形断面を有する少なくとも４枚の集成ラミナの、幅広面と幅広面との積層材であるか、又はこれを更に加工したものであり、
（ｇ）前記集成ラミナが、前記構造用木材製品の、少なくとも一方の横軸方向の全寸法の幅を有し、
（ｈ）前記構造用木材製品の、少なくとも他方の横軸方向の全寸法が、互いに接着された集成ラミナの集積した断面の厚さを有するように、前記集成ラミナが、連続的に積層され、
（ｉ）前記集成ラミナが、少なくとも長さＬを有し、
（ｊ）前記集成ラミナが、長さＬより短い、均一なラミナ厚さの板（以下、「スティック」という）を端部で接合して得られ、矩形断面が、１７ｍｍを上回らない厚さと、前記構造用木材製品の正方形断面の幅を上回らず又は前記構造用木材製品の矩形断面の短辺の寸法を上回らない幅と、を有し、
（ｋ）前記集成ラミナが、それぞれ、等級付けして類別された構成要素であるスティックから得られ、等級付けされた各類別のスティックは、乾燥の後のスティックごとの試験により、強度又は剛性、又は、強度と剛性の両方の特性について、等級のカテゴリに等級付けされ、
（ｌ）前記集成ラミナが、それぞれ、特徴に応じて少なくとも３つの等級に分けられたカテゴリに等級付けされたスティックから得られ、
前記集成ラミナが、前記構造用木材製品の前記他方の全寸法まで積層され、各集成ラミナを構成するスティックの等級と、前記構造用木材製品に要求される強度又は剛性、又は強度と剛性の両方、の特性と、によって特徴付けられ、
それぞれの構成要素であるスティックは、スティックどうしの向かい合った幅広面をクランプすることによって拘束され、前記幅広面の少なくとも１つは、このようなクランプ動作の際に、貫入部材によって貫入される、
集成した細長い構造用木材製品。